(57)【要約】【課題】  作物を収穫しながら茎葉と根を処理できると共に、切断された茎葉や根が機体に散らばらない野菜収穫機を提供する。【解決手段】  作物Ｏの茎葉を挟持して引抜搬送する引抜搬送装置４３と、搬送中に作物Ｏの根を除去する根部処理装置１００と、作物Ｏを根部処理装置１００に押付搬送する押圧搬送装置１１０と、作物Ｏの茎葉を切断する茎葉切断部材１１７と、作物Ｏの茎葉を排出する排葉装置１１８を設けた野菜収穫機において、根部処理装置１００を作物Ｏを搬送する無端帯７９，８０と、無端帯７９，８０の巻回域内に設ける作物Ｏの根を切除する根部切断部材９１，９２と、根部切断部材９１，９２の下部に作物Ｏの根を引き込む引込回転体９３，９３と、切断された作物Ｏの根が無端帯７９，８０の巻回域内への入り込むのを防止すると共に根部処理装置１００を支持する支持部材６７，６７から構成する。【選択図】図１０
2009201488.tif 000002
【特許請求の範囲】
【請求項１】
作物（Ｏ）の茎葉部を挟持して引き抜き機体後方へ搬送する引抜搬送装置（４３）と、該引抜搬送装置（４３）で搬送された作物（Ｏ）を引き継いで搬送しながら作物（Ｏ）の根部を除去する根部処理装置（１００）と、作物（Ｏ）を該根部処理装置（１００）に押さえつけながら搬送する押圧搬送装置（１１０）と、作物（Ｏ）の茎葉部を切断する茎葉切断部材（１１７）と、作物（Ｏ）の茎葉部を排出する排葉装置（１１８）とを設けた野菜収穫機において、
該根部処理装置（１００）を作物（Ｏ）を搬送する一対の搬送無端帯（７９，８０）と、該一対の搬送無端帯（７９，８０）の巻回域内に設ける作物（Ｏ）の根部を切除する根部切断部材（９１，９２）と、該根部切断部材（９１，９２）の下部に作物（Ｏ）の根部を引き込んで揃える一対の引込回転体（９３，９３）と、根部切断部材（９１，９２）に切断された作物（Ｏ）の根部が一対の搬送無端帯（７９，８０）の巻回域内に入り込むことを防止すると共に根部処理装置（１００）を支持する一対の支持部材（６７，６７）とから構成したことを特徴とする野菜収穫機。
【請求項２】
前記一対の搬送無端帯（７９，８０）の間の空間部（Ｑ）の下方に一対の引込回転体（９３，９３）を接合させて配置したことを特徴とする請求項１記載の野菜収穫機。
【請求項３】
前記一対の引込回転体（９３，９３）の前端部を根部切断部材（９１，９２）の前端部よりも搬送方向前側に配置すると共に、後端部を根部切断部材（９１，９２）の後端部よりも搬送方向前側に配置したことを特徴とする請求項１及び２記載の野菜収穫機。
【請求項４】
前記一対の引込回転体（９３，９３）を接合方向に移動自在に設けると共に、バネ部材（９４）で接合方向に付勢したことを特徴とする請求項１乃至３記載の野菜収穫機。
【請求項５】
前記一対の支持部材（６７，６７）の上端部を一対の引込回転体（９３，９３）の底部に接触させて配置したことを特徴とする請求項１乃至４記載の野菜収穫機。
【請求項６】
駆動軸（１０３）を回動支点として回動自在に構成した前記押圧搬送装置（１１０）を設けたと共に、該駆動軸（１０３）の両側に前記根部処理装置（１００）から駆動力を受ける一対の駆動回転体（１０４，１０４）を設けたことを特徴とする請求項１乃至５記載の野菜収穫機。
【請求項７】
前記押圧搬送装置（１１０）の搬送終端部の上方に排葉装置（１１８）の搬送始端部を配置すると共に、押圧搬送装置（１１０）の搬送終端部と排葉装置（１１８）の搬送始端部よりも後方に茎葉切断部材（１１７）を設けたことを特徴とする請求項１乃至６記載の野菜収穫機。
【請求項８】
根部処理装置（１００・・・）を複数配置し、複数の根部処理装置（１００・・・）間に駆動力を伝達する連結部材（７５）を設けたことを特徴とする請求項１乃至７記載の野菜収穫機。
【発明の詳細な説明】
【技術分野】
【０００１】
本発明は、圃場に植生する玉葱等の野菜作物を収穫すると共に、収穫した野菜作物の根部や茎葉部の処理を行う野菜収穫機に関するものである。
【背景技術】
【０００２】
従来、玉葱等を収穫する野菜収穫機としては、特許文献１に示されるように、複数の引抜搬送装置で圃場から作物を引き抜き収穫し、茎葉部を切断して回収するものがある。
また、特許文献２に示されるように、茎葉搬送装置に茎葉が挟持された状態の作物の根部を左右一対のカッタが切断するものがある。
【特許文献１】特開２００７−３１９０２５号公報
【特許文献２】特開２００４−０７３０６０号公報
【発明の開示】
【発明が解決しようとする課題】
【０００３】
しかしながら、特許文献１に示される野菜収穫機は、収穫作業中に作物の根部の処理を行うことができないため、作業者は収穫作業後に作物から根部を切除する作業を行わねばならないので、作業者の労力が増えてしまうという問題点がある。
【０００４】
また、特許文献２に示される野菜収穫機は、作物の茎葉部を挟持した状態で作物の根部を切断するカッタに接触させるため、切断位置が低過ぎると根部が切り残されてしまい、収穫作業後に作業者が切除する作業を行わねばならず作業者の労力が増えてしまうという問題点があると共に、切断位置が高過ぎると作物を切って傷つけてしまうので、作物の品質が低下してしまうという問題点がある。
【０００５】
さらに、カッタに根部が接触しても、切断されずに逃げてしまうことがあるので、根部が切り残されてしまい、収穫作業後に作業者が切除する作業を行わねばならず作業者の労力が増えてしまうという問題点がある。
【０００６】
そして、切断された根部はカッタの周囲に散らばるため、作業後の掃除にかかる労力が増してしまうので作業者の労力が増大すると共に、散らばった根が他の部材に絡み付いて作業能率を悪くしてしまうことや機体を停止させてしまうという欠点がある。
【課題を解決するための手段】
【０００７】
本発明は、上記の課題を解決するために次の技術的手段を講じた。
請求項１記載の発明は、作物（Ｏ）の茎葉部を挟持して引き抜き機体後方へ搬送する引抜搬送装置（４３）と、該引抜搬送装置（４３）で搬送された作物（Ｏ）を引き継いで搬送しながら作物（Ｏ）の根部を除去する根部処理装置（１００）と、作物（Ｏ）を該根部処理装置（１００）に押さえつけながら搬送する押圧搬送装置（１１０）と、作物（Ｏ）の茎葉部を切断する茎葉切断部材（１１７）と、作物（Ｏ）の茎葉部を排出する排葉装置（１１８）とを設けた野菜収穫機において、該根部処理装置（１００）を作物（Ｏ）を搬送する一対の搬送無端帯（７９，８０）と、該一対の搬送無端帯（７９，８０）の巻回域内に設ける作物（Ｏ）の根部を切除する根部切断部材（９１，９２）と、該根部切断部材（９１，９２）の下部に作物（Ｏ）の根部を引き込んで揃える一対の引込回転体（９３，９３）と、根部切断部材（９１，９２）に切断された作物（Ｏ）の根部が一対の搬送無端帯（７９，８０）の巻回域内に入り込むことを防止すると共に根部処理装置（１００）を支持する一対の支持部材（６７，６７）とから構成したことを特徴とする野菜収穫機とした。
【０００８】
従って、収穫した作物（Ｏ）の根部を切断する根部処理装置（１００）を構成する一対の搬送無端帯（７９，８０）の巻回域内に根部切断部材（９１，９２）を設けると共に、該根部切断部材（９１，９２）の下部に作物（Ｏ）の根部を引き込んで揃える一対の引込回転体（９３，９３）を設けたことによって、作物（Ｏ）の根部が一対の引込回転体（９３，９３）によって集められるので、作物（Ｏ）の根部を一対の引込回転体（９３，９３）で揃えてから根部切断部材（９１，９２）によって切断することができると共に、切断した根部を根部処理装置（１００）の下方に落下させることができる。
【０００９】
また、根部切断部材（９１，９２）に切断された根部が一対の搬送無端帯（７９，８０）の巻回域内に入り込むのを防止する一対の支持部材（６７，６７）で根部処理装置（１００）を支持することによって、切断された根部が一対の搬送無端帯（７９，８０）の巻回域内に入り込むことを防止できると共に、根部処理装置（１００）の構成を簡単にすることができる。
【００１０】
請求項２記載の発明は、前記一対の搬送無端帯（７９，８０）の間の空間部（Ｑ）の下方に一対の引込回転体（９３，９３）を接合させて配置したことを特徴とする請求項１記載の野菜収穫機とした。
【００１１】
従って、左右搬送無端帯（７９，８０）の間の空間部（Ｑ）を作物（Ｏ）の根部が通過するので、根部が根部処理装置（１００）の作用範囲の外に逃げるのを防止することができる。
【００１２】
また、一対の引込回転体（９３，９３）を空間部（Ｑ）の下方で接合させて配置したことによって、茎葉処理装置（１００）をコンパクトに構成することができると共に、空間部（Ｑ）を通過する作物（Ｏ）の根部を引き込んでまとめることができる。
【００１３】
請求項３記載の発明は、前記一対の引込回転体（９３，９３）の前端部を根部切断部材（９１，９２）の前端部よりも搬送方向前側に配置すると共に、後端部を根部切断部材（９１，９２）の後端部よりも搬送方向前側に配置したことを特徴とする請求項１及び２記載の野菜収穫機とした。
【００１４】
従って、一対の引込回転体（９３，９３）の前端部を根部切断部材（９１，９２）の前端部よりも搬送方向前側に配置したことによって、作物（Ｏ）の根部を一対の引込回転体（９３，９３）でまとめてから根部切断部材（９１，９２）で切断することができる。
【００１５】
また、一対の引込回転体（９３，９３）の後端部を根部切断部材（９１，９２）の後端部よりも搬送方向前側に配置したことによって、根部切断部材（９１，９２）によって切断された作物（Ｏ）の根部を確実に下方に落下させることができる。
【００１６】
請求項４記載の発明は、前記一対の引込回転体（９３，９３）を接合方向に移動自在に設けると共に、バネ部材（９４）で接合方向に付勢したことを特徴とする請求項１乃至３記載の野菜収穫機とした。
【００１７】
従って、一対の引込回転体（９３，９３）が接合方向に移動自在であることによって、作物（Ｏ）の根部の大きさや状態に応じて一対の引込回転体（９３，９３）の間隔を自由に変更することができる。
【００１８】
また、一対の引込回転体（９３，９３）をバネ部材（９４）で接合方向に付勢したことによって、作物（Ｏ）の根部の大きさに合わせて一対の引込回転体（９３，９３）の間隔を自動的に変更させることができる。
【００１９】
請求項５記載の発明は、前記一対の支持部材（６７，６７）の上端部を一対の引込回転体（９３，９３）の底部に接触させて配置したことを特徴とする請求項１乃至４記載の野菜収穫機とした。
【００２０】
従って、一対の支持部材（６７，６７）の上端部を一対の引込回転体（９３，９３）の底部に接触させて配置したことによって、一対の引込回転体（９３，９３）に付着した泥土等の汚れや作物（Ｏ）の根部などを一対の引込回転体（９３，９３）の上端部で取り除くことができる。
【００２１】
請求項６記載の発明は、駆動軸（１０３）を回動支点として回動自在に構成した前記押圧搬送装置（１１０）を設けたと共に、該駆動軸（１０３）の両側に前記根部処理装置（１００）から駆動力を受ける一対の駆動回転体（１０４，１０４）を設けたことを特徴とする請求項１乃至５記載の野菜収穫機とした。
【００２２】
従って、駆動軸（１０３）を回動支点として回動自在に構成した前記押圧搬送装置（１１０）を設けたことによって、押圧搬送装置（１１０）と根部処理装置（１００）との間を通過する作物（Ｏ）の大きさや形状に応じて押圧搬送装置（１１０）を自動的に上下動させることができる。
【００２３】
また、駆動軸（１０３）の両側に前記根部処理装置（１００）から駆動力を受ける一対の駆動回転体（１０４，１０４）を設けたことによって、機体の伝動構成を簡単にすることができる。
【００２４】
請求項７記載の発明は、前記押圧搬送装置（１１０）の搬送終端部の上方に排葉装置（１１８）の搬送始端部を配置すると共に、押圧搬送装置（１１０）の搬送終端部と排葉装置（１１８）の搬送始端部よりも後方に茎葉切断部材（１１７）を設けたことを特徴とする請求項１乃至６記載の野菜収穫機とした。
【００２５】
従って、押圧搬送装置（１１０）の搬送終端部の上方に排葉装置（１１８）の搬送始端部を配置することにより、作物（Ｏ）の茎葉部が排葉装置（１１８）に挟持される前に押圧搬送装置（１１０）が作物（Ｏ）を押圧するため、作物（Ｏ）の根部を根部処理部材（１１７）で確実に切断することができる。
【００２６】
また、押圧搬送装置（１１０）の搬送終端部と排葉装置（１１８）の搬送始端部よりも後方に茎葉切断部材（１１７）を設けたことによって、作物（Ｏ）が根部処理装置（１００）に押さえ付けられた状態で排葉装置（１１８）は作物（Ｏ）の茎葉部を挟持するので、適切な位置で茎葉部を切断することができる。
【００２７】
請求項８記載の発明は、根部処理装置（１００・・・）を複数配置し、複数の根部処理装置（１００・・・）間に駆動力を伝達する連結部材（７５）を設けたことを特徴とする請求項１乃至７記載の野菜収穫機とした。
【００２８】
従って、複数の根部処理装置（１００・・・）を駆動力を伝達する連結部材（７５）で連結したことによって、一つの動力装置から複数の根部処理装置（１００・・・）に駆動力を伝達することができる。
【００２９】
また、連結部材（７５）を外すことによって、使用しない根部処理装置（１００）への伝動を切ることができる。
【発明の効果】
【００３０】
請求項１記載の発明によれば、一対の搬送無端帯（７９，８０）の巻回域内に根部切断部材（９１，９２）を設けると共に、根部切断部材（９１，９２）の下部に一対の引込回転体（９３，９３）を設けたことによって、作物（Ｏ）の根部を一対の引込回転体（９３，９３）で揃えてから根部切断部材（９１，９２）によって切断することができるので、根部が根部切断部材（９１，９２）に押されて逃げて切り損なわれることが防止され、作業者が手作業で作物（Ｏ）の根部を除去する労力が軽減される。
【００３１】
また、切断した根部を根部処理装置（１００）の下方に落下させることができるので、切断された根部が飛散することが防止され、根部を巻き込むことなどによる故障が防止されると共に、切断された茎葉を容易に集めて廃棄できるので、メンテナンス性が向上する。
【００３２】
そして、根部処理装置（１００）を支持する一対の支持部材（６７，６７）が切断された根部を一対の搬送無端帯（７９，８０）の巻回域内に入り込むことを防止するので、根部を巻き込むことなどによる故障が防止されると共に、根部処理装置（１００）の構成を簡単にすることができるので、メンテナンス性が向上すると共に省資源化を図ることができる。
【００３３】
請求項２記載の発明の効果は、請求項１記載の発明の効果に加えて、作物（Ｏ）の根部が空間部（Ｑ）を通過する構成としたことにより、根部が根部処理装置（１００）の作用範囲の外に逃げるのを防止することができるので、根部を確実に切断でき、作業能率が向上すると共に作業者が手作業で作物（Ｏ）の根部を除去する労力が軽減される。
【００３４】
また、根部処理装置（１００）をコンパクトに構成することができるので、機体構成を簡単になり、メンテナンス性が向上すると共に、空間部（Ｑ）を通過する作物（Ｏ）の根部を引き込んでまとめることができるので、根部を確実に切断でき、作業能率が向上すると共に作業者が手作業で作物（Ｏ）の根部を除去する労力が軽減される。
【００３５】
請求項３記載の発明の効果は、請求項１及び２記載の発明の効果に加え、作物（Ｏ）の根部を一対の引込回転体（９３，９３）でまとめてから根部切断部材（９１，９２）で切断することができるので、根部根部を確実に切断でき、作業能率が向上すると共に作業者が手作業で作物（Ｏ）の根部を除去する労力が軽減される。
【００３６】
また、根部切断部材（９１，９２）によって切断された作物（Ｏ）の根部を確実に下方に落下させることができるので、根部を巻き込むことなどによる故障が防止されると共に、切断された茎葉を容易に集めて廃棄できるので、メンテナンス性が向上する。
【００３７】
請求項４記載の発明の効果は、請求項１乃至３記載の発明の効果に加え、作物（Ｏ）の根部の大きさや状態に応じて一対の引込回転体（９３，９３）の左右間隔を接合方向に自由に変更することができるので、作物（Ｏ）の根部が一対の引込回転体（９３，９３）の間に詰まり作業が停止することが防止され、作業能率が向上する。
【００３８】
また、一対の引込回転体（９３，９３）をバネ部材（９４）で接合方向に付勢したことにより、作物（Ｏ）の根部の大きさに合わせて一対の引込回転体（９３，９３）の左右間隔を自動的に変更させることができるので、作業能率が向上すると共に、作業者が一対の引込回転体（９３，９３）の左右間隔を調節する作業が省略されるので、作業者の労力が軽減される。
【００３９】
請求項５記載の発明の効果は、請求項１乃至４記載の発明の効果に加え、一対の引込回転体（９３，９３）に付着した泥土等の汚れや作物（Ｏ）の根部などを一対の支持部材（６７，６７）の上端部で取り除くことができるので、根部を確実に切断でき、作業能率が向上し、作業者が手作業で作物（Ｏ）の根部を除去する労力が軽減されると共に、構成部品を減らすことができるので、省資源化を図ることができる。
【００４０】
請求項６記載の発明の効果は、請求項１乃至５記載の発明の効果に加え、押圧搬送装置（１１０）と根部処理装置（１００）との間を通過する作物（Ｏ）の大きさや形状に応じて押圧搬送装置（１１０）を自動的に上下動させることができるので、押圧搬送装置（１１０）と根部処理装置（１００）との間に作物（Ｏ）が詰まり作業が停止することが防止され、作業能率が向上する。
【００４１】
また、押発搬送そう知（１１０）の駆動軸（１０３）の両側に前記根部処理装置（１００）から駆動力を受ける一対の駆動回転体（１０４，１０４）を設ける構成としたことによって、機体の伝動構成を簡単にすることができるので、機体構成が簡単になりメンテナンス性が向上すると共に、構成部品数が減るので省資源化を図ることができる。
【００４２】
請求項７記載の発明の効果は、請求項１乃至６記載の発明の効果に加え、作物（Ｏ）の茎葉部が排葉装置（１１８）に挟持される前に押圧搬送装置（１１０）が作物（Ｏ）を押圧するため、作物（Ｏ）の根部を根部処理部材（１１７）で確実に切断することができるので、作業能率が向上すると共に作業者が手作業で作物（）の根部を除去する労力が軽減される。
【００４３】
また、作物（Ｏ）が根部処理装置（１００）に押さえ付けられた状態で排葉装置（１１８）は作物（Ｏ）の茎葉部を挟持するため、適切な位置で茎葉部を切断することができるので、作物（Ｏ）を傷つけることが防止され、作物（Ｏ）の商品価値が向上する。
【００４４】
請求項８記載の発明の効果は、請求項１乃至７記載の発明の効果に加え、複数の根部処理装置（１００・・・）を駆動力を伝達する連結部材（７５）で連結したことによって、一つの動力装置から複数の根部処理装置（１００・・・）に駆動力を伝達することができるので、構成部品数が減り、省資源化を図ることができる。
【００４５】
また、連結部材（７５）を外すことによって、使用しない根部処理装置（１００）への伝動を切ることができるので、機体動作に要するエネルギーが減り、省資源化を図ることができる。
【発明を実施するための最良の形態】
【００４６】
本発明の実施の形態について、一実施例として２条ずつ玉葱Ｏを圃場から引き抜き収穫し、根部と茎葉部の処理を行う玉葱収穫機を説明する。
図１〜図１６に示すように、玉葱収穫機は、機体の走行クローラ６Ｌ，６Ｒや操縦装置１４、ミッションケース４等の駆動系を備えた走行車体Ａと、圃場から玉葱Ｏの茎葉部を挟持して引き抜き収穫して機体後方へ搬送する収穫搬送装置Ｂと、引抜搬送装置Ｂに搬送されてきた玉葱Ｏの茎葉部と根部とを除去して調整する調製装置Ｃと、調製された玉葱Ｏを選別搬送する選別搬送装置Ｄと、選別搬送装置Ｄで選別された玉葱Ｏをコンテナ１３７やフレキシブルコンテナ１３８等の収容部材１３９で収容する収容部Ｅとから構成される。
【００４７】
以下に、各部の詳細を具体的に記載する。
まず、走行車体Ａについて説明する。
図１〜図３で示すように、メインフレーム１の上側で且つ後部左右一側にエンジン２を取り付け、該エンジン２の上部に燃料タンク３を取り付ける。そして、前記メインフレーム１及びエンジン２の下部にエンジン２の駆動力を伝達する走行ミッションケース４を取り付け、該ミッションケース４から機体他側方向に亘って駆動シャフト５を取り付けると共に、該駆動シャフト５の左右両端に圃場を走行するための左右クローラ６Ｌ，６Ｒを取り付ける。
【００４８】
また、前記メインフレーム１の上側で且つ前部左右一側にメイン操縦パネル７を取り付け、該メイン操縦パネル７よりも機体後側に操縦者が着座する操縦座席８を回転自在に取り付ける。さらに、前記メイン操縦パネル７の上部で且つ操縦座席８側に機体の走行・停止を切り替えると共に走行速度を変速する走行クラッチレバー９を取り付け、機体を旋回動作させる左右旋回レバー１０Ｌ，１０Ｒを取り付け、収穫搬送装置Ｂの作業位置を調節する調節レバー１１を取り付けると共に、収穫搬送装置Ｂの動作を切り替える作業クラッチレバー１２を取り付ける。また、後述する選別搬送装置Ｄの選別搬送コンベア１３１の電動モータ１２３の入切を行う選別コンベアスイッチ１３を取り付けることによって、図５に示す操縦装置１４が構成される。
【００４９】
そして、前記メインフレーム１の上側で且つエンジン２の後部に補助作業者が機体の操作を行うための補助操縦パネル１５を取り付け、該補助操縦パネル１５の上部に機体の走行・停止を切り替えると共に走行速度を変速する補助走行クラッチレバー１６を取り付け、機体を旋回動作させる左右補助旋回レバー１７Ｌ，１７Ｒを取り付け、選別搬送装置Ｄの選別搬送コンベア１３１の入切を行う補助選別コンベアスイッチ１８を取り付けると共に、緊急時に機体全体の駆動力供給を停止させるデッドマンクラッチレバー１９を取り付けることにより図６で示す補助操縦装置２０が構成され、走行車体Ａが構成される。
【００５０】
上記構成によれば、操縦装置１４と補助操縦装置２０とを取り付けたことによって、作業者だけでなく補助作業者も作業に応じた走行速度の調節や左右旋回操作ができると共に、選別搬送コンベア１３１の入切を行うことができるので、作業能率や作業の安全性が向上する。
【００５１】
また、機体後部の補助操縦装置２０にデッドマンクラッチレバー１９を設けたことによって、補助作業者も機体の動作を止めることができるので、機体が異常な動作をしたり、機体と壁等の間に人が挟まれかけたりしたときでもすぐに機体が停止するので、作業の安全性が向上する。
【００５２】
なお、図４で示すように前記操縦装置１４と操縦座席８とをメインフレーム１の上側で且つ前部左右他側に配置する構成としてもよい。
上記構成によれば、操縦装置１４と操縦者が搭乗する操縦座席８が、重量のあるエンジン２や燃料タンク３の対角線上に配置されるので、作業時に機体の左右重量バランスが取れて作業姿勢が安定するので、作業能率が向上すると共に作業の安全性が向上する。
【００５３】
次に、収穫搬送装置Ｂについて説明する。
図１〜図４及び図７で示すように、前記メインフレーム１の後部上側で且つエンジン２よりも機体内側にエンジン２の動力を伝達する伝動フレーム２１を機体前後方向に回動自在に取り付け、該伝動フレーム２１の機体前側に出力軸２２，２２，２２，２２の基部を夫々取り付けると共に、該出力軸２２，２２，２２，２２の端部に伝動ケース２３，２３，２３，２３を夫々取り付ける。そして、該伝動ケース２３，２３，２３，２３の内部に夫々駆動スプロケット２４と従動スプロケット２５とを内装すると共に、該駆動スプロケット２４と従動スプロケット２５とに伝動チェーン２６を無端状に巻き掛ける。また、前記従動スプロケット２５，２５，２５，２５に伝動軸２７，２７，２７，２７の基部を取り付け、該伝動軸２７，２７，２７，２７の端部に駆動プーリ２８，２８，２８，２８を軸着する。さらに、該駆動プーリ２８，２８，２８，２８の上部から機体前方に亘って搬送部カバー２９，２９，２９，２９を取り付けると共に、該搬送部カバー２９，２９，２９，２９の前端部に従動プーリ３０，３０，３０，３０を取り付ける。
【００５４】
そして、前記搬送部カバー２９，２９，２９，２９のうち、機体内側の左右搬送カバー２９，２９の機体前側で且つ機体外側部に左右内側挟持補助フレーム３１，３１を機体前後方向に亘って取り付け、該左右内側挟持補助フレーム３１，３１に複数の内側挟持補助ローラ３２・・・を回転自在に取り付ける。また、前記左右内側挟持補助フレーム３１，３１の後部に左右内側テンションフレーム３３，３３を取り付け、該左右内側テンションフレーム３３，３３の機体外側部に複数の内側テンションローラ３４・・・を取り付ける。なお、前記左右内側挟持補助フレーム３１，３１の先端部を従動プーリ３０，３０の溝部に接触させて配置すると、左右内側挟持補助フレーム３１，３１が従動プーリ３０，３０の溝部に詰まった泥土や茎葉等を取るスクレーパとなるため、メンテナンス性が向上する。さらに、前記駆動プーリ２８，２８と従動プーリ２９，２９と内側挟持補助ローラ３２・・・と内側テンションローラ３４・・・とに左右内側挟持搬送ベルト３５，３５を無端状に巻き掛ける。そして、該左右内側挟持搬送ベルト３５，３５の挟持搬送作用面側で左右内側テンションフレーム３３，３３の下面で且つ挟持搬送後部寄りに挟持搬送される玉葱Ｏを調整装置Ｃに高さを揃えながら送る送り爪部材６５，６５を夫々取り付ける。
【００５５】
そして、機体外側の左右搬送カバー２９，２９の機体前側に左右外側挟持補助フレーム３６，３６を回動支点Ｐを支点に機体左右方向に回動自在に取り付け、該左右外側挟持補助フレーム３６，３６の機体内側部に複数の外側挟持補助ローラ３７・・・を回転自在に取り付けると共に、機体外側部に左右外側挟持補助フレーム３６，３６を開閉する左右開閉レバー３８，３８を機体左右方向に回動自在に取り付ける。また、前記左右外側挟持補助フレーム３６，３６の後部に左右外側テンションフレーム３９，３９を取り付け、該左右外側テンションフレーム３９，３９に複数の外側テンションローラ４０・・・を回転自在に取り付ける。さらに、前記駆動プーリ２８，２８と従動プーリ２９，２９と外側挟持補助ローラ３７・・・と外側テンションローラ４０・・・とに左右外側挟持搬送ベルト４１，４１を無端状に巻き掛ける。また、左右両外側の従動プーリ３０，３０の軸の下部に左右スターホイル４２，４２を取り付け、左右内側テンションフレーム３３，３３の下部を連結プレート６３で連結すると共に、該連結プレート６３とメインフレーム１との間に電動シリンダ６４を伸縮自在且つ機体前後方向に回動自在に取り付ける。さらに、該左右外側挟持搬送ベルト４１，４１の挟持搬送作用面側で左右外側テンションフレーム３９，３９の下面で且つ挟持搬送後部寄りに挟持搬送される玉葱Ｏを調整装置Ｃに高さを揃えながら送る送り爪部材６５，６５を夫々取り付ける。左右引抜搬送装置４３Ｌ，４３Ｒが構成される。なお、前記電動シリンダ６４は、油圧シリンダやエアシリンダ等の伸縮部材に置き換えても構わない。
【００５６】
なお、本実施例は玉葱を圃場から２条ずつ引き抜き収穫するため上記構成としているが、例えば４条ずつ引き抜く場合は、左右引抜搬送装置４３Ｌ，４３Ｒを一対追加すればよく、さらに条数を増やしたいときは、その数に応じて左右引抜搬送装置４３Ｌ，４３Ｒを追加すればよい。
【００５７】
そして、前記メインフレーム１の前側に左右引起し支持フレーム４４，４４を前下がり傾斜姿勢に取り付け、該左右引起し支持フレーム４４，４４のうち機体外側の引起し支持フレーム４４に振動装置４５と伸縮自在な電動シリンダ４６とを取り付ける。また、前記ミッションケース４から機体前側に向けて伝動軸を取り付け、該伝動軸の端部を振動装置４５に取り付ける。また、該振動装置４５に左右振動フレーム４８を機体上下方向に回動自在に取り付けると共に、該左右振動フレーム４８に土中の玉葱Ｏの周囲の土を掘り解す左右一対の振動ソイラ４９，４９を取り付ける。さらに、前記電動シリンダ４６の下部に屈曲自在なゲージ輪アーム５０を取り付けると共に、該ゲージ輪支持アーム５０の前端部外側にゲージ輪５１を回転自在に取り付ける。前記電動シリンダ４６は、油圧シリンダやエアシリンダ等の伸縮部材に置き換えても構わない。
【００５８】
また、前記ミッションケース４に引起し伝動シャフト５２を機体前側に向けて取り付け、該引起し伝動シャフト５２の端部を左右引抜搬送装置４３Ｌ，４３Ｒの上方に機体左右方向に配置する引起し伝動ケース５３に取り付ける。そして、複数の引起し爪６６・・・を取り付けた引起しチェーン５７を巻き掛けた引起し駆動スプロケット５５と引起し従動スプロケット５６とを引起しケース５８に内装して構成する引起し装置５９，５９，５９，５９を前記伝動ケース５３に内装する伝動軸５４に機体上下方向に回動自在に装着する。さらに、該引起し装置５９，５９，５９，５９のうち左右両外側の引起し装置５９，５９の引起しケース５８，５８の外側に複数の穴部を形成し、この複数の穴部に上下方向に長穴を形成した左右引起し支持アーム６０，６０を合わせてボルト等の固定部材で取り付けると共に、該引起し支持アーム６０，６０の端部を前記左右引起し支持フレーム４４，４４の外側に取り付ける。また、前記装置５９，５９，５９，５９の下部に玉葱Oの茎葉部を持ち上げる分草体６１，６１，６１，６１を取り付けると共に、該分草体６１，６１，６１，６１に茎葉部を掻き分けて後方に送る掻分部材６２，６２，６２，６２を取り付けることにより、収穫搬送装置Ｂが構成される。
【００５９】
上記構成によれば、夫々内側挟持搬送ベルト３５と外側挟持搬送ベルト４１で玉葱Ｏを引き抜いて搬送する左右一対の引抜搬送装置４３Ｌ，４３Ｒを設けたことによって、２条の玉葱Ｏを引き抜いても引抜搬送装置４３Ｌ，４３Ｒには夫々１条分の玉葱Ｏの茎葉部が挟持されるだけであるので、引抜搬送装置４３Ｌ，４３Ｒに玉葱Ｏの茎葉部が詰まることが防止され、作業能率が向上すると共に、作業者が詰まった茎葉を取り除く作業が省略されるので、作業者の労力が軽減される。
【００６０】
また、複数の内側挟持補助ローラ３２・・・を機体外側部に取り付けた左右内側挟持補助フレーム３１，３１と、複数の外側挟持補助ローラ３７・・・を機体内側部に取り付けた左右外側挟持補助フレーム３６，３６とを設けたことによって、玉葱Ｏの茎葉部を挟持して圃場から引き抜く左右引抜搬送装置４３Ｌ，４３Ｒの挟持搬送始端側の挟持力を強くすることができるので、玉葱Ｏの抜き残しが少なくなり作業能率が向上すると共に、作業者が手作業で抜き残された玉葱Ｏを収穫する作業が省略されるので、作業者の労力が軽減される。
【００６１】
そして、左右外側挟持補助フレーム３６，３６を回動支点Ｐを支点として機体左右方向に回動自在に設けたと共に、左右開閉レバー３８，３８を機体左右方向に回動自在に取り付けたことによって、作業者は左右開閉レバー３８，３８を機体外側に回動させて引けば左右外側挟持補助フレーム３６，３６を機体外側方向に動かして左右引抜搬送装置４３Ｌ，４３Ｒの挟持搬送始端側の挟持状態を解除することができるので、玉葱Ｏの茎葉部や石等の夾雑物を左右引抜搬送装置４３Ｌ，４３Ｒの挟持搬送始端側で噛み込んでしまっても、作業者は簡単に噛み込み状態を解消して収穫作業に戻ることができるので作業能率が向上する。また、作業時には左右開閉レバー３８，３８を機体内側に回動させておくと、左右開閉レバー３８，３８が引抜搬送作業の邪魔にならないので、作業能率が向上する。
【００６２】
また、土中の玉葱Ｏの周囲の土を掘り解す左右一対の振動ソイラ４９，４９を取り付けたことによって、土質の硬い圃場であっても玉葱Ｏを引き抜きやすくすることができるので、玉葱Ｏの抜き残しが少なくなり作業能率が向上すると共に、作業者が手作業で抜き残された玉葱Ｏを収穫する作業が省略されるので、作業者の労力が軽減される。さらに、引き抜きの際に左右引抜搬送装置４３Ｌ，４３Ｒにかかる負荷が軽減されるので、左右引抜搬送装置４３Ｌ，４３Ｒを構成する各部材の耐久性が向上し、機体寿命が長くなる。
【００６３】
さらに、１条の玉葱Ｏに対して２基の引起し装置５９，５９で茎葉部を引き起こすことによって、玉葱Ｏの茎葉部が左右に乱雑に倒れていても確実に茎葉部を引き起こすため、左右引抜搬送装置４３Ｌ，４３Ｒが茎葉部を確実に掴むことができるので、玉葱Ｏの抜き残しが少なくなり作業能率が向上すると共に、作業者が手作業で抜き残された玉葱Ｏを収穫する作業が省略されるので、作業者の労力が軽減される。
【００６４】
また、機体左右両外側の引起しケース５８，５８の機体外側部に複数の穴部を形成し、この複数の穴部に上下方向に長穴を形成した左右引起し支持アーム６０，６０を合わせて取り付けることによって、引起し装置５９，５９，５９，５９の作業高さを作業条件に合わせて変更することができるので、様々な作業の適応性が向上し、作業能率が向上する。
【００６５】
次に、調整装置Ｃについて説明する。
図８〜図１１で示すように、前記メインフレーム１の上部で且つ左引抜搬送装置４３Ｌの搬送経路下方に左右第１根切フレーム６７Ｌ，６７Ｌを機体左右方向に所定間隔離間させて空間部Ｑを構成して配置すると共に、右引抜搬送装置４３Ｒの搬送経路下方に左右第２根切フレーム６７Ｒ，６７Ｒを機体左右方向に所定間隔離間させて空間部Ｑを構成して配置する。また、該左右第１根切フレーム６７Ｌ，６７Ｌに内側駆動プーリ６８Ｌと外側駆動プーリ６９Ｌとを所定間隔離間させて軸着すると共に端部に第１駆動ベベルギア７０Ｌを軸着した左伝動軸７１Ｌを取り付け、左右第２根切フレーム６７Ｒ，６７Ｒに内側駆動プーリ６８Ｒと外側駆動プーリ６９Ｒとを所定間隔離間させて軸着すると共に端部に第１駆動ベベルギア７０Ｒを軸着した右伝動軸７１Ｒを取り付ける。
【００６６】
そして、該左右伝動軸７１Ｌ，７１Ｒのどちらか一方の基部に受動プーリ７２を軸着し、前記ミッションケース４から動力を出力する出力軸に伝動プーリを軸着すると共に、該受動プーリ７２と伝動プーリとの間に伝動ベルト７４を無端状に巻き掛ける。さらに、前記左右伝動軸７１Ｌ，７１Ｒ間に、左伝動軸７１Ｌと右伝動軸７１Ｒとを連結するカップリング７５を着脱自在に取り付ける。
【００６７】
そして、前記左右第１根切フレーム６７Ｌ，６７Ｌの機体前側に従動軸７６Ｌを回転自在に装着し、該従動軸７６Ｌの左右に内側従動プーリ７７Ｌと外側従動プーリ７８Ｌとを軸着し、前記内側駆動プーリ６８Ｌと内側従動プーリ７７Ｌとに内側搬送ベルト７９Ｌを無端状に巻き掛けると共に、前記外側駆動プーリ６９Ｌと外側従動プーリ７８Ｌとに外側搬送ベルト８０Ｌを無端状に巻き掛ける。また、前記従動軸７６Ｌの左右両端部に左右出力プーリ８１Ｌ，８１Ｌを軸着する。
【００６８】
さらに、前記左右第２根切フレーム６７Ｒ，６７Ｒの機体前側に従動軸７６Ｒを回転自在に装着し、該従動軸７６Ｒの左右に内側従動プーリ７７Ｒと外側従動プーリ７８Ｒとを軸着し、前記内側駆動プーリ６８Ｒと内側従動プーリ７７Ｒとに内側搬送ベルト７９Ｒを無端状に巻き掛けると共に、前記外側駆動プーリ６９Ｒと外側従動プーリ７８Ｒとに外側搬送ベルト８０Ｒを無端状に巻き掛ける。そして、前記従動軸７６Ｒの左右両端部に左右出力プーリ８１Ｒ，８１Ｒを軸着する。
【００６９】
また、前記第１駆動ベベルギア７０Ｌに第１従動ベベルギア８２Ｌを噛み合わせ、該第１従動ベベルギア８２Ｌに端部に第２駆動ベベルギア８４Ｌを軸着すると共に、第１従動ベベルギア８２Ｌと第２駆動ベベルギア８４Ｌとの前後間に駆動スプロケット８５Ｌを軸着した伝動軸８３Ｌを取り付ける。そして、該第２駆動ベベルギア８４Ｌに第１回転軸８６Ｌの上端部に軸着した第２従動ベベルギア８７Ｌを噛み合わせ、該第１回転軸８６Ｌの下端部に駆動スプロケット８８Ｌを軸着すると共に、該駆動スプロケット８８Ｌと第２回転軸８９Ｌの下端部に軸着した従動スプロケット９０Ｌとに伝動チェーン１５０Ｌを無端状に巻き掛ける。さらに、該第２回転軸８９Ｌの上端部で且つ外側搬送ベルト８０Ｌの巻回域内下方に玉葱Ｏの根部を切断する回転刃９１Ｌを軸着すると共に、機体内側の第１根切フレーム６７Ｌの上部で且つ内側搬送ベルト７９Ｌの巻回域内下方に玉葱Ｏの根部を切断する固定刃９２Ｌを取り付ける。
【００７０】
また、前記第１駆動ベベルギア７０Ｒに第１従動ベベルギア８２Ｒを噛み合わせ、該第１従動ベベルギア８２Ｒに端部に第２駆動ベベルギア８４Ｒを軸着すると共に、第１従動ベベルギア８２Ｒと第２駆動ベベルギア８４Ｒとの前後間に駆動スプロケット８５Ｒを軸着した伝動軸８３Ｒを取り付ける。そして、該第２駆動ベベルギア８４Ｒに第１回転軸８６Ｒの上端部に軸着した第２従動ベベルギア８７Ｒを噛み合わせ、該第１回転軸８６Ｒの下端部に駆動スプロケット８８Ｒを軸着すると共に、該駆動スプロケット８８Ｒと第２回転軸８９Ｒの下端部に軸着した従動スプロケット９０Ｒとに伝動チェーン１５０Ｒを無端状に巻き掛ける。さらに、該第２回転軸８９Ｒの上端部で且つ外側搬送ベルト８０Ｒの巻回域内下方に玉葱Ｏの根部を切断する回転刃９１Ｒを軸着すると共に、機体内側の第２根切フレーム６７Ｒの上部で且つ内側搬送ベルト７９Ｒの巻回域内下方に玉葱Ｏの根部を切断する固定刃９２Ｒを取り付ける。
【００７１】
そして、前記左右第１根切フレーム６７Ｌ，６７Ｌの内側駆動プーリ６８Ｌ，外側駆動プーリ６９Ｌと内側従動プーリ７７Ｌ，外側従動プーリ７８Ｌとの間で且つ回転刃９１Ｌと固定刃９２Ｌとの下部に玉葱Ｏの根部を下方に引き込んで整える左右引込ローラ９３Ｌ，９３Ｌを、先端部を内側従動プーリ７７Ｌ，外側従動プーリ７８Ｌの後部にオーバラップさせ、下端部を左右第１根切フレーム６７Ｌ，６７Ｌの上端部に近接させると共に、左右一端を内側搬送ベルト７９Ｌと外側搬送ベルト８０Ｌの下方に位置させて且つ左右他端を左右第１根切りフレーム６７Ｌ，６７Ｌの空間部Ｑで近接させて回転自在且つ左右方向に移動自在に取り付ける。また、該左右引込ローラ９３Ｌ，９３Ｌの後部をスプリング９４Ｌで連結すると共に、左右引込ローラ９３Ｌ，９３Ｌの後部に左右受動スパーギア９５Ｌ，９５Ｌを取り付ける。さらに、該左右受動スパーギア９５Ｌ，９５Ｌに左右回転軸９７Ｌ，９７Ｌに軸着した左右受動スパーギア９５Ｌ，９５Ｌよりも大径である左右伝動スパーギア９６Ｌ，９６Ｌを噛み合せ、機体内側の回転軸９７Ｌの端部に従動スプロケット９８Ｌを軸着すると共に、該従動スプロケット９８Ｌと駆動スプロケット８５Ｌとに伝動チェーン９９Ｌを無端状に巻き掛けることにより、根部処理装置１００Ｌが構成される。
【００７２】
そして、前記左右第２根切フレーム６７Ｒ，６７Ｒの内側駆動プーリ６８Ｒ，外側駆動プーリ６９Ｒと内側従動プーリ７７Ｒ，外側従動プーリ７８Ｒとの間で且つ回転刃９１Ｒと固定刃９２Ｒとの下部に玉葱Ｏの根部を下方に引き込んで整える左右引込ローラ９３Ｒ，９３Ｒを、先端部を内側従動プーリ７７Ｒ，外側従動プーリ７８Ｒの後部にオーバラップさせ、下端部を左右第２根切フレーム６７Ｒ，６７Ｒの上端部に近接させると共に、左右一端を内側搬送ベルト７９Ｒと外側搬送ベルト８０Ｒの下方に位置させて且つ左右他端を左右第２根切りフレーム６７Ｒ，６７Ｒの空間部Ｑで近接させて回転自在且つ左右方向に移動自在に取り付ける。また、該左右引込ローラ９３Ｒ，９３Ｒの後部をスプリング９４Ｒで連結すると共に、左右引込ローラ９３Ｒ，９３Ｒの後部に左右受動スパーギア９５Ｒ，９５Ｒを取り付ける。さらに、該左右受動スパーギア９５Ｒ，９５Ｒに左右回転軸９７Ｒ，９７Ｒに軸着した受動スパーギア９５Ｒ，９５Ｒよりも大径である左右伝動スパーギア９６Ｒ，９６Ｒを噛み合せ、機体内側の回転軸９７Ｒの端部に従動スプロケット９８Ｒを軸着すると共に、該従動スプロケット９８Ｒと駆動スプロケット８５Ｒとに伝動チェーン９９Ｒを無端状に巻き掛けることにより、根部処理装置１００Ｒが構成される。
【００７３】
なお、図９、図１０で示すように、左右引込ローラ９３Ｌ，９３Ｌ及び９３Ｒ，９３Ｒの機体前側部分をテーパ形状とすると、玉葱Ｏの根部が太さに係らず左右引込ローラ９３Ｌ，９３Ｌ及び９３Ｒ，９３Ｒの間に入り込むため、玉葱Ｏの根部が左右引込ローラ９３Ｌ，９３Ｌ及び９３Ｒ，９３Ｒに確実に引き込まれて整えられるので、根部を確実に切断でき、作業能率が向上すると共に作業者が手作業で玉葱Ｏの根部を除去する労力が軽減される。また、左右引込ローラ９３Ｌ，９３Ｌ及び９３Ｒ，９３Ｒの先端部に左右ガイド１０１Ｌ，１０１Ｌ及び１０１Ｒ，１０１Ｒを取り付けると、上記効果がいっそう向上する。さらに、第１根切フレーム６７Ｌ，６７Ｌ及び第２根切フレーム６７Ｒ，６７Ｒをメインフレーム１に着脱自在に取り付けて、根部処理装置１００Ｌ，１００Ｒを着脱自在にすると、根切り作業を人手で行いたい場合や根を残したまま収穫したい場合等の作業条件に合わせた作業を行うことができると共に、根部処理に必要な動力が不要となるので省エネルギー化を図ることができる。
【００７４】
図１１、図１２に示すように、前記搬送カバー２９，２９，２９，２９のうち、左右両外側の搬送カバー２９，２９の内側下部に押圧フレーム１０２，１０２，１０２，１０２を機体上下方向に回動自在に取り付けるそして、該押圧フレーム１０２，１０２，１０２，１０２に、押圧フレーム１０２，１０２，１０２，１０２の回動支点を兼ねる駆動軸１０３，１０３，１０３，１０３を夫々回転自在に取り付け、該駆動軸１０３，１０３，１０３，１０３に駆動プーリ１０４，１０４，１０４，１０４を夫々軸着する。また、該駆動プーリ１０４，１０４，１０４，１０４と前記出力プーリ８１Ｌ，８１Ｌ，８１Ｒ，８１Ｒとに連繋伝動ベルト１０５，１０５，１０５，１０５を無端状に巻き掛ける。
【００７５】
さらに、前記駆動軸１０３，１０３，１０３，１０３の両外側端に押圧駆動プーリ１４５，１４５，１４５，１４５を軸着し、押圧フレーム１０２，１０Ｒ１０２，１０２との前側端部に第１押圧従動プーリ１０６，１０６，１０６，１０６を回転自在に取り付け、後側端部に第２押圧従動プーリ１０７，１０７，１０７，１０７を回転自在に取り付けると共に、該第１押圧従動プーリ１０６，１０６，１０６，１０６と第２押圧従動プーリ１０７，１０７，１０７，１０７の前後間で且つ上部位置に第３押圧従動プーリ１０８，１０８，１０８，１０８を回転自在に取り付ける。
【００７６】
そして、該第１押圧従動プーリ１０６，１０６，１０６，１０６と第２押圧従動プーリ１０７，１０７，１０７，１０７と第３押圧従動プーリ１０８，１０８，１０８，１０８とに玉葱Ｏを根部処理装置１００Ｌ，１００Ｒに押圧する押圧ベルト１０９，１０９，１０９，１０９を巻き掛けると共に、該押圧ベルト１０９，１０９，１０９，１０９の搬送作用面側を前記押圧駆動プーリ１４５，１４５，１４５，１４５で押圧することによって、左右押圧搬送装置１１０Ｌ，１１０Ｒが構成される。
【００７７】
なお、押圧フレーム１０２，１０２，１０２，１０２を搬送カバー２９，２９，２９，２９に着脱自在に取り付けることによって、根部処理が必要ない場合や、強い圧力をかけると傷んでしまう品種の玉葱Ｏを収穫する際に左右押圧搬送装置１１０Ｌ，１１０Ｒを外しておくことができるので、様々な作業条件に対応できて作業能率が向上し、省エネルギー化を図ることができると共に、玉葱Ｏが傷付くことが防止されて玉葱Ｏの商品価値が向上する。
【００７８】
また、図１１及び図１３、図１４に示すように、前記伝動フレーム２１の機体後側に後部出力軸１１１，１１１，１１１，１１１の基部を夫々取り付けると共に、該後部出力軸１１１，１１１，１１１，１１１の端部に排葉駆動プーリ１１２，１１２，１１２，１１２を軸着する。そして、該排葉駆動プーリ１１２，１１２，１１２，１１２の上部から機体前側に亘って排葉カバー１１３，１１３，１１３，１１３を取り付け、該排葉カバー１１３，１１３，１１３，１１３の前端部で且つ左右押圧搬送装置１１０Ｌ，１１０Ｒの終端部上方に排葉従動プーリ１１４，１１４，１１４，１１４を回転自在に取り付ける。
【００７９】
また、前記排葉駆動プーリ１１２，１１２，１１２，１１２と排葉従動プーリ１１４，１１４，１１４，１１４との前後間に伝動プーリ１１５，１１５，１１５，１１５を回転自在に取り付け、該伝動プーリ１１５，１１５，１１５，１１５に伸縮自在な回転軸１１６，１１６，１１６，１１６を軸着すると共に、該回転軸１１６，１１６，１１６，１１６の下端部に玉葱Ｏの茎葉部を切断する茎葉切断刃１１７，１１７，１１７，１１７を軸着する。そして、前記排葉駆動プーリ１１２，１１２，１１２，１１２と排葉従動プーリ１１４，１１４，１１４，１１４と伝動プーリ１１５，１１５，１１５，１１５とに排葉搬送ベルト１４２，１４２，１４２，１４２を無端状に巻き掛けることによって、切断された玉葱Ｏの茎葉部を搬送終端部まで搬送して機体後部から排出する左右排葉搬送装置１１８，１１８が構成される。
【００８０】
そして、根部処理装置１００Ｌ，１００Ｒと左右押圧装置１１０Ｌ，１１０Ｒと左右排葉搬送装置１１８，１１８から、玉葱Ｏの根部や茎葉部を除去する調整装置Ｃが構成される。
【００８１】
上記構成によれば、左右第１根切フレーム６７Ｌ，６７Ｌ及び左右第２根切フレーム６７Ｒ，６７Ｒを所定間隔離間させて空間部Ｑを構成したことによって、玉葱Ｏの根部が空間部Ｑを通過するため、根部が根部処理装置１００Ｌ，１００Ｒの作用範囲の外に逃げるのを防止することができるので、根部を確実に切断でき、作業能率が向上すると共に作業者が手作業で作物の根部を除去する労力が軽減される。加えて、左右第１根切フレーム６７Ｌ，６７Ｌ及び左右第２根切フレーム６７Ｒ，６７Ｒが切断された根部が内側駆動ベルト７９Ｌ，７９Ｒ及び外側駆動ベルト８０Ｌ，８０Ｒの巻回域内に入り込むことを防止すると共に、下方に落下するガイドとなることによって、内側駆動ベルト７９Ｌ，７９Ｒ及び外側駆動ベルト８０Ｌ，８０Ｒの巻回域内に根部を巻き込むことなどによる故障が防止されると共に、切断された茎葉を根部処理装置１００Ｌ，１００Ｒの下方に集めて容易に廃棄できるので、メンテナンス性が向上する。
【００８２】
また、切断された根部を空間部Ｑから下方に落下させることができるので、切断された根部が飛散することが防止され、根部を巻き込むことなどによる故障が防止されると共に、切断された茎葉を容易に集めて廃棄できるので、メンテナンス性が向上する。
【００８３】
さらに、左右第１根切フレーム６７Ｌ，６７Ｌ及び左右第２根切フレーム６７Ｒ，６７Ｒを根部処理装置１００Ｌ，１００Ｒを支持するフレームとしたことによって、構成部品数を減らすことができ、省資源化が図られる。
【００８４】
そして、左伝動軸７１Ｌと右伝動軸７１Ｒとを着脱自在なカップリング７５で連結したことによって、一つの受動プーリ７２だけで駆動力を根部処理装置１００Ｌ，１００Ｒの両方に伝達することができるので、機体の構成が簡単になりメンテナンス性が向上すると共に、構成部品数が減るので省資源化を図ることができる。加えて、カップリング７５を外すことにより、使用しない根部処理装置１００Ｌもしくは１００Ｒへの伝動を切ることができるので、機体動作に要するエネルギーを軽減させ、省資源化を図ることができる。
【００８５】
さらに、外側搬送ベルト８０Ｌ，８０Ｒの下方に回転刃９１Ｌ，９１Ｒを設けると共に、内側搬送ベルト７９Ｌ，７９Ｒの下方に固定刃９２Ｌ，９２Ｒを設けたことによって、搬送途中の玉葱Ｏの根部を確実に切断することができるので、根部を確実に切断でき、作業能率が向上すると共に作業者が手作業で作物の根部を除去する労力が軽減される。加えて、一方の切断刃を固定刃９２Ｌ，９２Ｒとしたことによって、伝動部品の数を減らすことができるので、構成部品数が減り、省資源化が図られる。
【００８６】
また、玉葱Ｏの根部を下方に引き込んで揃える左右引込ローラ９３Ｌ，９３Ｌ及び９３Ｒ，９３Ｒを先端部が回転刃９１Ｌ，９１Ｒ及び固定刃９２Ｌ，９２Ｒの先端部よりも機体前側に位置し、且つ、左右一端を内側搬送ベルト７９Ｌ，７９Ｒと外側搬送ベルト８０Ｌ，８０Ｒの下方に位置させて且つ左右他端を左右第１根切フレーム６７Ｌ，６７Ｌ及び左右第２根切フレーム６７Ｒ，６７Ｒの空間部Ｑで近接させて取り付けたことによって、根部を十分に下方に引き込んで揃えてから切断するため、根部が根部処理装置１００Ｌ，１００Ｒの作用範囲の外に逃げるのを防止することができるので、根部を確実に切断でき、作業能率が向上すると共に作業者が手作業で作物の根部を除去する労力が軽減される。また、左右引込ローラ９３Ｌ，９３Ｌ及び９３Ｒ，９３Ｒの後端部が回転刃９１Ｌ，９１Ｒ及び固定刃９２Ｌ，９２Ｒの後端部よりも機体前側にあることによって、切断された根部が回転刃９１Ｌ，９１Ｒ及び固定刃９２Ｌ，９２Ｒの後端部に挟まって作業を停止させることが防止されるので、作業能率が向上する。
【００８７】
加えて、左右引込ローラ９３Ｌ，９３Ｌ及び９３Ｒ，９３Ｒを左右移動自在に設けていると共に、後端部を夫々スプリング９４で連結していることによって、玉葱Ｏの根部の太さに応じて左右引込ローラ９３Ｌ，９３Ｌ及び９３Ｒ，９３Ｒの間隔が自動的に変更されるので、作業能率が向上すると共に、作業者が左右間隔を調節する作業が省略されるので、作業者の労力が軽減される。
【００８８】
さらに、左右引込ローラ９３Ｌ，９３Ｌ及び９３Ｒ，９３Ｒの下端部を左右第１根切フレーム６７Ｌ，６７Ｌ及び左右第２根切フレーム６７Ｒ，６７Ｒの上端部に近接させて配置したことによって、左右引込ローラ９３Ｌ，９３Ｌ及び９３Ｒ，９３Ｒに玉葱Ｏと共に搬送されてきた泥土や茎葉部の破片等の夾雑物が付着しても、左右第１根切フレーム６７Ｌ，６７Ｌ及び左右第２根切フレーム６７Ｒ，６７Ｒの上端部を泥土や茎葉部の破片等の夾雑物を削ぎ落とすスクレーパとして作用させることができるので、左右引込ローラ９３Ｌ，９３Ｌ及び９３Ｒ，９３Ｒが常に玉葱Ｏの根部を下方に引き込んでまとめることのできる状態に保たれ、作業能率が向上すると共に、根部を確実に切断でき、作業者が手作業で作物の根部を除去する労力が軽減される。
【００８９】
また、左右押圧搬送装置１１０Ｌ，１１０Ｒが左右駆動軸１０３，１０３を回動支点として機体上下方向に回動自在に構成されたことによって、玉葱Ｏの大きさや形状に応じて左右押圧搬送装置１１０Ｌ，１１０Ｒが自動的に上下動するため、左右押圧搬送装置１１０Ｌ，１１０Ｒと根部処理装置１００Ｌ，１００Ｒとの間に玉葱Ｏが詰まることを防止できるので、作業能率が向上する。
【００９０】
そして、左右押圧搬送装置１１０Ｌ，１１０Ｒの駆動力を、根部処理装置１００Ｌ，１００Ｒの左右出力プーリ８１Ｌ，８１Ｌ及び８１Ｒ，８１Ｒから押圧駆動プーリ１０４，１０４，１０４，１０４で受けて得ることによって、伝動部品を減らすことができるので省資源化が図られると共に、機体構成が簡単になりメンテナンス性が向上する。
【００９１】
さらに、押圧ベルト１０９，１０９，１０９，１０９の搬送作用面側を押圧駆動プーリ１０４，１０４，１０４，１０４で押圧することによって、テンションプーリが不要となるので、省資源化を図ることができる。
【００９２】
また、玉葱Ｏの茎葉部を切断する茎葉切断刃１１７，１１７，１１７，１１７を伸縮自在な回転軸１１６，１１６，１１６，１１６の下端部に軸着したことによって、茎葉部を残さずに玉葱Ｏを収穫する場合は回転軸１１６，１１６，１１６，１１６を伸ばして茎葉部全体を切断できると共に、茎葉部をワイヤー等に吊るして乾燥させるために茎葉部を残して切断する場合は、回転軸１１６，１１６，１１６，１１６を縮めて茎葉部の上部だけを切断することができるので、収穫作業後の乾燥作業方法に応じた収穫を行えて作業能率が向上すると共に、茎葉部を前部切断して乾燥作業を行う場合、作業者が手作業で茎葉部を除去する必要がなくなるので、作業者の労力が軽減される。
【００９３】
さらに、左右押圧搬送装置１１０Ｌ，１１０Ｒの搬送終端部上方に左右排葉搬送装置１１８，１１８の搬送始端部を配置すると共に、左右押圧搬送装置１１０Ｌ，１１０Ｒの搬送終端部と左右排葉搬送装置１１８，１１８の搬送始端部との後方に茎葉切断刃１１７，１１７，１１７，１１７を配置したことによって、玉葱Ｏの茎葉部が左右排葉搬送装置１１８，１１８に挟持される前に左右押圧搬送装置１１０Ｌ，１１０Ｒが玉葱Ｏを押圧するため、玉葱Ｏの根部を根部処理装置１００Ｌ，１１０Ｒで確実に切断することができるので、作業能率が向上すると共に作業者が手作業で作物の根部を除去する労力が軽減される。
【００９４】
また、玉葱Ｏが根部処理装置１００Ｌ，１００Ｒに押さえ付けられた状態で左右排葉搬送装置１１８，１１８は玉葱Ｏの茎葉部を挟持するため、適切な位置で茎葉部を切断することができるので、玉葱Ｏを傷つけることが防止され、作物の商品価値が向上する。
【００９５】
次に、選別搬送装置Ｄについて説明する。
図１〜図４及び図１５、図１６に示すように、前記メインフレーム１の上部で且つ根部処理装置１００Ｌ，１００Ｒの後部に、根部処理装置１００Ｌ，１００Ｒの搬送終端部から排出される玉葱Ｏを受けて後方に送る引継シュータ１１９を後下がり傾斜姿勢に取り付け、該引継シュータ１１９の後部に前後選別搬送フレーム１２０，１２０を取り付ける。そして、該前後選別搬送フレーム１２０，１２０の機体左右一側端に選別駆動ローラ１２１を回転自在に取り付けると共に、前後選別搬送フレーム１２０，１２０のどちらか一方の外側に選別駆動ローラ１２１を回転させる電動モータ１２２を取り付ける。なお、電動モータ１２２は、油圧モータあるいはその他の動力装置を用いても構わない。
【００９６】
また、前記前後選別搬送フレーム１２０，１２０の機体内側に伝動中継ローラ１２３を回転自在に取り付け、該伝動中継ローラ１２３の回転軸の前後に前後延長選別搬送フレーム１２４，１２４を機体左右他側方向ほど上方傾斜姿勢で且つ上下方向に回動自在に取り付けると共に、該前後延長選別搬送フレーム１２４，１２４の機体左右他側端に選別従動ローラ１２５を取り付ける。そして、該選別駆動ローラ１２１と伝動中継ローラ１２３と選別従動ローラ１２５とに玉葱Ｏの逆流を防止する複数の弾性突起１２７・・・を形成した選別搬送ベルト１２６を無端状に巻き掛けると共に、該選別搬送ベルト１２６の巻回域外で且つ前後延長選別搬送フレーム１２４，１２４の下部を連結プレート１２８で連結する。さらに、該連結プレート１２８とメインフレーム１との間に伸縮自在な電動シリンダ１２９を取り付けると共に、前後延長選別搬送フレーム１２４，１２４の終端部に玉葱Ｏを排出する排出シュータ１３０を取り付けて、前記引継シュータ１１９から玉葱Ｏを受けて機体左右一側方向から機体左右他側方向に向けて選別搬送する選別搬送コンベア１３１を構成する。なお、上記電動シリンダ１２９は油圧シリンダやエアシリンダとしてもよく、またはその他の手段による伸縮部材で構成しても構わない。加えて、後述するフレキシブルコンテナ１３８で玉葱Ｏを回収する場合に、該フレキシブルコンテナ１３８を吊り下げる前後吊り下げアーム１３６，１３６を前後延長選別搬送フレーム１２４，１２４の終端部外側に機体上下方向に回動自在に取り付けてもよく、フレキシブルコンテナ１３８を使用しない場合は他の部材に接触しない位置に回動させて移動させることによって、作業能率を維持することができる。又は、該前後吊り下げアーム１３６，１３６は着脱自在としても構わない。
【００９７】
そして、前記メインフレーム１の下部に基部を有する側面視でコの字型の補助作業座席支持フレーム１３２を機体左右方向に回動自在に取り付け、選別搬送コンベア１３１の後方で且つメインフレーム１の上方に位置する該補助作業座席支持フレーム１３２の屈曲部上部に玉葱Ｏの選別作業や後述するコンテナ１３７やフレキシブルコンテナ１３８等の収容部材１３９の積み替えなどの補助作業を行う補助作業者が着座する補助作業座席１３３を回転自在に取り付けることによって、選別搬送装置Ｄが構成される。
【００９８】
なお、補助座席支持フレーム１３２は左方向に９０度傾けたＵ字型でもよく、メインフレーム１と補助座席支持フレーム１３２の上部屈曲部との上下間隔は、後述するコンテナ１３７の上下長さよりも長く設定することによって、コンテナ１３７をより多く収容することができるので、コンテナ１３７等の収容部材１３９を積み降ろす回数が少なくなり、作業能率が向上する。また、補助作業座席１３３の近傍には、選別搬送コンベア１３１を昇降させて作業高さを変更する電動シリンダ１２９を伸縮させる手動操作用の昇降スイッチ１３４ａや、足踏み操作用の昇降ペダル１３４ｂを設けてもよく、補助作業者がコンテナ１３７やフレキシブルコンテナ１３８の玉葱Ｏの収容量に応じて選別搬送コンベア１３１の作業高さを変更できるので、落下の衝撃で玉葱Ｏが傷付くことが防止されて玉葱Ｏの品質が向上すると共に、コンテナ１３７を複数段積み上げて収容することができるので、コンテナ１３７の収容量が増えてコンテナ１３７を積み降ろす回数が少なくなり、作業能率が向上する。
【００９９】
上記構成によれば、根部処理装置１００Ｌ，１００Ｒの搬送終端部から排出される玉葱Ｏを引継シュータ１１９で受けてから選別搬送コンベア１３１の搬送始端部に引き継がせることができるので、落下の衝撃で玉葱Ｏが傷付くことが防止されて玉葱Ｏの品質が向上する。なお、引継シュータ１１９をゴム材や弾性樹脂などの軟質部材でコーティングしておくと、上述の効果をさらに高めることができる。
【０１００】
また、選別搬送コンベア１３１の前後延長選別搬送フレーム１２４，１２４を機体上下方向に回動自在に設けると共に、選別コンベア１３１を上下動させる伸縮自在な電動シリンダ１２９を設けたことによって、コンテナ１３７やフレキシブルコンテナ１３８の玉葱Ｏの収容量に応じて選別搬送コンベア１３１の作業高さを変更できるので、落下の衝撃で玉葱Ｏが傷付くことが防止されて玉葱Ｏの品質が向上すると共に、コンテナ１３７を複数段積み上げて収容することができるので、コンテナ１３７の収容量が増えてコンテナ１３７を積み降ろす回数が少なくなり、作業能率が向上する。なお、操縦装置１４に操縦者が手動で電動シリンダ１２９を伸縮させる昇降スイッチ１３５ａを設けてもよく、操縦座席８の下方に操縦者が足踏みで電動シリンダ１２９を伸縮させる昇降ペダル１３５を設けてもよい。
【０１０１】
そして、選別搬送ベルト１２６に複数の弾性突起１２７・・・を形成したことによって、選別搬送コンベア１３１を上昇させて傾斜角度が大きくなっても、選別搬送ベルト１２６を玉葱Ｏが逆流することを弾性突起１２７・・・が防止するので、落下の衝撃で玉葱Ｏが傷付くことが防止されて玉葱Ｏの品質が向上すると共に、玉葱Ｏの選別搬送が滞ることが防止されるので、作業能率が向上する。
【０１０２】
さらに、補助作業座席１３３を選別搬送コンベア１３１の後方に配置したことによって、補助作業者は補助作業座席１３３に着座したまま選別搬送コンベア１３１に搬送される玉葱Ｏの選別作業を行うことができるので、補助作業者の労力が軽減される。加えて、補助作業座席１３３が回転自在に設けられていることによって、補助作業者は自分の作業に適切な方向に補助作業座席１３３を回して身体の向きを変えることができるので、作業能率が向上する。
【０１０３】
次に、収容部Ｅについて説明する。
図３、図４及び図１５、図１６で示すように、前記選別搬送装置Ｄの選別搬送コンベア１３１の搬送終端部下方に、選別搬送コンベア１３１の終端部から排出される玉葱Ｏを回収する箱状のコンテナ１３７や袋状のフレキシブルコンテナ１３８等の収容部材１３９を設置する収容部材載置台１４０をメインフレーム１の機体側部に機体上下方向に回動自在に取り付け、該収容部材載置台１４０の前側で且つメインフレーム１の機体側部に玉葱Ｏを収容したコンテナ１３７やフレキシブルコンテナ１３８等の収容部材１３９もしくは空のコンテナ１３７やフレキシブルコンテナ１３８等の収容部材１３９を載置する載置補助台１４１を機体上下方向に回動自在に取り付けて、収容部Ｅが構成される。
【０１０４】
上記構成によれば、収容部材載置台１４０を機体上下方向に回動自在に取り付けたことによって、収容部材載置台１４０を下方向に回動させると、玉葱Ｏを大量に収容したコンテナ１３７やフレキシブルコンテナ１３８等の収容部材１３９を機外に滑らせて下ろすことができるので、作業能率が向上する。また、機体をトラック等の搬送手段で搬送する際や、倉庫等に収納する際には、収容部材載置台１４０を上方向に回動させることによって機体の左右幅を小さくすることができるので、収納性が向上すると共に、搬送時の安定性が向上し、搬送作業の安全性が向上する。
【０１０５】
そして、載置補助台１４１を機体内側方向に回動自在に設けたことによって、玉葱Ｏが満載された、あるいは空のコンテナ１３７やフレキシブルコンテナ１３８等の収容部材１３９を機体上に多く積むことができるので、機外に収容部材１３９を下ろす作業や機外から収容部材１３９を積み込む作業の回数が減少し、作業能率が向上すると共に作業者の労力が軽減される。
【０１０６】
また、載置補助台１４１を下方向に回動させると、玉葱Ｏを大量に収容したコンテナ１３７やフレキシブルコンテナ１３８等の収容部材１３９を機外に滑らせて下ろすことができるので作業能率が向上すると共に、機体をトラック等の搬送手段で搬送する際や、倉庫等に収納する際には、載置補助台１４１を上方向に回動させることによって機体の左右幅を小さくすることができるので、収納性が向上すると共に、搬送時の安定性が向上し、搬送作業の安全性が向上する。
【０１０７】
以下、本件玉葱Ｏの収穫機の別実施例を説明する。
図１７で示すように、左右排葉搬送装置１１８，１１８の後部出力軸１１１，１１１，１１１，１１１と伝動フレーム２１の後部との間にユニバーサルジョイント１４２，１４２，１４２，１４２を取り付けて、該左右排葉搬送装置１１８，１１８を後上り傾斜姿勢に配置してもよい。
【０１０８】
上記構成によれば、根部処理装置１００Ｌ，１００Ｒで玉葱Ｏの根部を切断した後、後上り傾斜姿勢の左右排葉搬送装置１１８，１１８に搬送される玉葱Ｏは一定の高さまで引上げられてから茎葉部を茎葉切断刃１１７，１１７，１１７，１１７によって切断されるので、茎葉部の切断位置が安定して玉葱Ｏを傷つけることなく茎葉だけを切断できるので、玉葱Ｏの商品価値が向上する。
【０１０９】
なお、上記別実施例では左右排葉搬送装置１１８，１１８を後上り傾斜姿勢にしているが、圃場の状態や玉葱の品種・生育状況等作業条件に合わせて傾斜角度を変更することによって、茎葉部の切断位置を最適な位置に合わせることができるので、玉葱Ｏを傷つけることなく茎葉だけが切断され、玉葱Ｏの商品価値が向上する。
【０１１０】
図１８で示すように、左右排用搬送装置１１８，１１８の伝動プーリ１１５，１１５，１１５，１１５のうち、機体外側の排葉搬送ベルト１４２，１４２の巻回域内で且つ機体内側に接触させる伝動プーリ１１５，１１５よりも機体内側の排葉搬送ベルト１４２，１４２の巻回域内で且つ機体外側に接触させる伝動プーリ１１５，１１５を機体前側に配置する。そして、機体外側の伝動プーリ１１５，１１５に取り付ける伸縮自在な回転軸１１６，１１６の下端部に外側切断刃１１７ａ，１１７ａと軸着すると共に、機体内側の伝動プーリ１１５，１１５に取り付ける伸縮自在な回転軸１１６，１１６の下端部に外側切断刃１１７ａ，１１７ａよりも小径の内側切断刃１１７ｂ，１１７ｂを左右排用搬送装置１１８，１１８の排葉挟持搬送経路の下方でオーバラップするように配置してもよい。
【０１１１】
上記構成によれば、機体外側の伝動プーリ１１５，１１５と機体内側の伝動プーリ１１５，１１５とを機体前後方向に位相をずらして配置したことによって、排葉搬送ベルト１４２，１４２にかかる挟持力を分散させることができると共に排葉搬送ベルト１４２，１４２が移動できる幅が大きくなるので、玉葱Ｏの茎葉部の量が多くても左右排葉搬送装置１１８，１１８が詰まることが防止されて作業能率が向上すると共に、左右排葉搬送装置１１８，１１８にかかる負荷が軽減されるので、左右排葉搬送装置１１８，１１８を構成する各部材の耐久性が向上し、機体寿命が長くなる。
【０１１２】
また、外側切断刃１１７ａ，１１７ａと外側切断刃１１７ａ，１１７ａよりも小径の内側切断刃１１７ｂ，１１７ｂを左右排用搬送装置１１８，１１８の排葉挟持搬送経路の下方でオーバラップするように配置したことによって、搬送経路直下に外側切断刃１１７ａと内側切断刃１１７ｂとの交点が形成されるので、玉葱Ｏの茎葉部が確実に切断されて作業能率が向上する。
【０１１３】
図１９で示すように、伝動プーリ１１５，１１５を排葉搬送ベルト１４２，１４２，１４２，１４２の機体外側部で且つ巻回域内に接触させて配置し、機体外側の伝動プーリ１１５，１１５に取り付ける伸縮自在な回転軸１１６，１１６の下端部に外側切断刃１１７ａ，１１７ａを軸着すると共に、機体内側の伝動プーリ１１５，１１５に取り付ける伸縮自在な回転軸１１６，１１６の下端部に外側切断刃１１７ａ，１１７ａよりも小径の内側切断刃１１７ｂ，１１７ｂを左右排用搬送装置１１８，１１８の排葉挟持搬送経路の下方でオーバラップするように配置してもよい。
【０１１４】
上記構成によれば、排葉搬送ベルト１４２，１４２にかかる挟持力を分散させることができると共に排葉搬送ベルト１４２，１４２が移動できる幅が大きくなるので、玉葱Ｏの茎葉部の量が多くても左右排葉搬送装置１１８，１１８が詰まることが防止されて作業能率が向上すると共に、左右排葉搬送装置１１８，１１８にかかる負荷が軽減されるので、左右排葉搬送装置１１８，１１８を構成する各部材の耐久性が向上し、機体寿命が長くなる。
【０１１５】
また、外側切断刃１１７ａ，１１７ａと外側切断刃１１７ａ，１１７ａよりも小径の内側切断刃１１７ｂ，１１７ｂを左右排用搬送装置１１８，１１８の排葉挟持搬送経路の下方でオーバラップするように配置したことによって、搬送経路直下に外側切断刃１１７ａと内側切断刃１１７ｂとの交点が形成されるので、玉葱Ｏの茎葉部が確実に切断されて作業能率が向上する。
【図面の簡単な説明】
【０１１６】
【図１】玉葱収穫機の側面図
【図２】一部部材を取り除いた玉葱収穫機の側面図
【図３】玉葱収穫機の平面図
【図４】玉葱収穫機の別実施例の平面図
【図５】操縦装置の要部平面図
【図６】補助操縦装置の要部平面図
【図７】引抜搬送装置の要部平面図
【図８】根部処理装置の背面図
【図９】根部処理装置の側面図
【図１０】２基の根部処理装置を連結した平面図
【図１１】調整装置の部分側面図
【図１２】２基の押圧搬送装置の正面図
【図１３】排葉搬送装置の側面図
【図１４】２基の排葉搬送装置の平面図
【図１５】選別搬送装置の平面図
【図１６】選別搬送装置の背面図
【図１７】玉葱収穫機の別実施例の側面図
【図１８】２基の排葉搬送装置の別実施例の平面図
【図１９】２基の排葉搬送装置の別実施例の平面図
【符号の説明】
【０１１７】
４３              引抜搬送装置
７５              カップリング（連結部材）
６７，６７        第１（第２）根切フレーム（支持部材）
７９              内側搬送ベルト（搬送無端帯）
８０              外側搬送ベルト（搬送無端帯）
９１              回転刃（根部切断部材）
９２              固定刃（根部切断部材）
９３，９３        引込ローラ（引込回転体）
１００            根部処理装置
１０３            駆動軸
１０４，１０４    駆動プーリ（駆動回転体）
１１０            押圧搬送装置
１１７            茎葉切断刃（茎葉切断部材）
１１８            排葉搬送装置（排葉装置）
Ｏ                玉葱（作物）
Ｑ                空間部
【図１】
2009201488.tif 000003
【図２】
2009201488.tif 000004
【図３】
2009201488.tif 000005
【図４】
2009201488.tif 000006
【図５】
2009201488.tif 000007
【図６】
2009201488.tif 000008
【図７】
2009201488.tif 000009
【図８】
2009201488.tif 000010
【図９】
2009201488.tif 000011
【図１０】
2009201488.tif 000012
【図１１】
2009201488.tif 000013
【図１２】
2009201488.tif 000014
【図１３】
2009201488.tif 000015
【図１４】
2009201488.tif 000016
【図１５】
2009201488.tif 000017
【図１６】
2009201488.tif 000018
【図１７】
2009201488.tif 000019
【図１８】
2009201488.tif 000020
【図１９】
2009201488.tif 000021